(57)【要約】      （修正有）【課題】郵便物として十分な実用性を有しつつ、簡単な作業で、自在な載置に好適なサイズとキャラクター性を有する利用形態に変形可能であるポストカードを提供する【解決手段】郵便物として定型のサイズおよび形状と、折り畳み可能な可撓性を有するカードであり、宛名面の裏側たる裏面３の下部中央４に、キャラクター５の正立状態の頭部イラスト６を備え、裏面３の上半部左側７に、キャラクター５の倒立状態の胴体部の左半身イラスト８を備え、裏面３の上半部右側９に、キャラクター５の倒立状態の胴体部の右半身イラスト１０を備え、裏面３における、キャラクター５の正立状態の頭部イラスト６から上方に所定距離だけ離間した位置に水平線１１を備え、裏面３の上半部左側端１２および上半部右側端１３のそれぞれから裏面中央上端１４方向に向けて、キャラクター５の各胴体部のイラスト内を斜行する斜線１５を備える。【選択図】図１
0003180587.tif 000002
【実用新案登録請求の範囲】
【請求項１】
郵便物として定型のサイズおよび形状と、折り畳み可能な可撓性を有するカードであり、
宛名面の裏側たる裏面の下部中央に、所定キャラクターの正立状態の頭部のイラストを備え、前記裏面の上半部左側に、前記キャラクターの倒立状態の胴体部の左半身のイラストを備え、前記裏面の上半部右側に、前記キャラクターの倒立状態の胴体部の右半身のイラストを備え、前記裏面における、前記キャラクターの正立状態の頭部のイラストから上方に所定距離だけ離間した位置に水平線を備え、前記裏面の上半部左側端および上半部右側端のそれぞれから裏面中央上端方向に向けて、前記キャラクターの各胴体部のイラスト内を斜行する斜線を備えることを特徴とするポストカード。
【請求項２】
前記キャラクターの左半身および右半身の各イラストは、前記裏面の左右側端を宛名面の中央に向けて折返すことにより、該当キャラクターの胴体部を一体に構成し、
前記キャラクターの胴体部を一体に構成した上で、前記水平線を起点に前記裏面の下端を宛名面に向けて折り返すことにより、前記頭部のイラストと、前記一体に構成した胴体部のイラストは、該当キャラクターの正面立像を一体に構成し、
前記キャラクターの正面立像を一体に構成することで、前記各斜線は、前記正面立像の表面において上方に凸の山型線分を構成し、
前記正面立像の下端部分は、前記山型線分を起点に後方に折り込むことにより、前記キャラクターの正面立像を正面として当該ポストカードを自立させる支持台を構成する、
ものであることを特徴とする請求項１に記載のポストカード。
【請求項３】
前記キャラクターの胴体部および正面立像と、前記山型線分と、前記支持台とを構成する際の、当該ポストカードにおける該当各部の折り方の情報を、前記裏面の上部中央に備えることを特徴とする請求項２に記載のポストカード。
【請求項４】
前記キャラクターの正面立像を正面として当該ポストカードを自立させた完成時のイメージを、前記裏面の中央部に備えることを特徴とする請求項１〜３のいずれかに記載のポストカード。
【考案の詳細な説明】
【技術分野】
【０００１】
本考案はポストカードに関し、具体的には、郵便物として十分な実用性と取り扱いの簡便さを有しつつ、簡単な作業で、自在な載置に好適なサイズと魅力的なキャラクター性を有する利用形態に変形可能であるポストカードを提供する技術に関する。
【背景技術】
【０００２】
送り先の相手に用件や気持ちを伝える手段として、手紙やポストカードが古くから使われてきた。こうした手段は、ネットワーク通信技術の発達に伴って、電子メール等に置き換わるとの見方もあったが、送り手の筆使いや手書き画等を含めて実体化した紙媒体が廃れることは無かった。一方、旧来から形態が変化しないポストカードに、様々な構造や付加物を追加し、新たな機能を持たせる工夫がなされている。そうした技術として例えば、表紙カード部１ａを開閉可能に連接したカード本体１に可動カード部体２が起伏可能に連接されており、前記可動カード部体２は、多数の薄紙５を相互に部分的に結合し上層に表紙４ａを有するジャバラ状装飾体４を有していて、可動カード部体２が起立するとともにジャバラ状装飾体４が立体状に展開する形式のものであって、前記ジャバラ状装飾体４の表紙４ａとカード本体１間を可動カード部体２を貫通する開披作動用紐８によって連結すると共に、前記ジャバラ状装飾体４の表紙４ａと可動カード部体２の背面間を、表紙４ａを閉じ側に付勢する閉じ促進機構６で連結した特徴とするポップアップ式カード（特許文献１参照）などが提案されている。
【０００３】
また、第１、第２のカード部を重ねた時には両カード部の間に起立片部が挟み込まれ、第１、第２のカード部を開いた時には起立片部が起立するようにしたカード構造において、上記第１、第２のカード部の間には上記起立片部が両カード部の対向する側縁に連続して形成され、該起立片部は中間の折り線によって折り曲げられるともに、上記第１、第２のカード部との境界でその境界近傍部分が上記第１、第２のカード部に重なるように折り曲げられ、相互に連続する上記第１のカード部の側部と起立片部の側部、及び相互に連続する第２のカード部の側部と起立片部の側部が相互に接着されるとともに、起立片部の両側部が相互に接着されることにより、上記第１、第２のカードの間には両カード部を開いた時に起立片部が立体的に起立し得るように設けられていることを特徴とするカード構造（特許文献２参照）なども提案されている。
【０００４】
また、紙製のシート部材からなるカードであって、筒状体形成シート部材が分離可能に一体に形成されていることを特徴とするカード（特許文献３参照）なども提案されている。
【先行技術文献】
【特許文献】
【０００５】
【特許文献１】特開２０００−１４１９５４号公報
【特許文献２】特開２００５−１４５０６０号公報
【特許文献２】特開２００４−５０６１３号公報
【考案の概要】
【考案が解決しようとする課題】
【０００６】
従来提案されている上述の如きカードであれば、カードの立体化や可動化を図ることでカード自体にメッセージ性を持たせ、カードの受け手に相応の印象を与える事が出来る。しかしながら、実用的なポストカードとして利用する際に重要な、定型のサイズ、形状、厚みに配慮がなされていない。そのため、上述のカード類をポストカードとして使用する場合、カードの送り手は、文面の記載作業やカード送付方法、或いは送付料金等について通常とは異なる配慮、手当てを行う必要があり、送付行為自体が煩雑で手間となってしまう恐れがある。また、立体化等のため複雑な構造をカードが備えることで、自ずとカードの製造コストも上昇し、経済性の点で問題がある。
【０００７】
また、上述した従来のカードは構造や機能の複雑化、多様化に伴ってサイズが大型化しやすく、他の既存物と競合せず居室や机上のどこにでも気軽に置けるものではなかった。こうした点は、自分宛のカードを大切にしつつも手元で簡単に保管し、随時眺めていたいといったカードの受け手側のニーズに反するもので、ともすれば、精神的負担ともなりうるものであった。更に、従来のカードは、カードの受け手の年齢層に関する配慮が不足しており、カードの受け手が幼児であったり、或いは高齢者である場合、受け取ったカードに対して不慣れな作業を施して正確に立体化等させることは困難である。また、そうした作業の結果、幼児や高齢者が得られるカード（立体化等したもの）は、デザインとして親近感や可愛らしさが不足しており、カードを受け取った後に長期にわたり手元で大事に取り扱われるキャラクター性を有しているか、懸念が残るものであった。
【０００８】
本考案は、上記のような課題に鑑みなされたものであって、郵便物として十分な実用性と取り扱いの簡便さを有しつつ、簡単な作業で、自在な載置に好適なサイズと魅力的なキャラクター性を有する利用形態に変形可能であるポストカードを提供することを目的とする。
【課題を解決するための手段】
【０００９】
上記のような課題を解決する本考案のポストカードは、郵便物として定型のサイズおよび形状と、折り畳み可能な可撓性を有するカードであり、宛名面の裏側たる裏面の下部中央に、所定キャラクターの正立状態の頭部のイラストを備え、前記裏面の上半部左側に、前記キャラクターの倒立状態の胴体部の左半身のイラストを備え、前記裏面の上半部右側に、前記キャラクターの倒立状態の胴体部の右半身のイラストを備え、前記裏面における、前記キャラクターの正立状態の頭部のイラストから上方に所定距離だけ離間した位置に水平線を備え、前記裏面の上半部左側端および上半部右側端のそれぞれから裏面中央上端方向に向けて、前記キャラクターの各胴体部のイラスト内を斜行する斜線を備えることを特徴とする。
【００１０】
なお、前記ポストカードにおいて、前記キャラクターの左半身および右半身の各イラストは、前記裏面の左右側端を宛名面の中央に向けて折返すことにより、該当キャラクターの胴体部を一体に構成し、前記キャラクターの胴体部を一体に構成した上で、前記水平線を起点に前記裏面の下端を宛名面に向けて折り返すことにより、前記頭部のイラストと、前記一体に構成した胴体部のイラストは、該当キャラクターの正面立像を一体に構成し、前記キャラクターの正面立像を一体に構成することで、前記各斜線は、前記正面立像の表面において上方に凸の山型線分を構成し、前記正面立像の下端部分は、前記山型線分を起点に後方に折り込むことにより、前記キャラクターの正面立像を正面として当該ポストカードを自立させる支持台を構成する、ものであるとしてもよい。
【００１１】
また、前記ポストカードにおいて、前記キャラクターの胴体部および正面立像と、前記山型線分と、前記支持台とを構成する際の、当該ポストカードにおける該当各部の折り方の情報を、前記裏面の上部中央に備えるとしてもよい。
【００１２】
また、前記ポストカードにおいて、前記キャラクターの正面立像を正面として当該ポストカードを自立させた完成時のイメージを、前記裏面の中央部に備えるとしてもよい。
【考案の効果】
【００１３】
本考案によれば、郵便物として十分な実用性と取り扱いの簡便さを有しつつ、簡単な作業で、自在な載置に好適なサイズと魅力的なキャラクター性を有する利用形態に変形可能であるポストカードを提供できる。
【図面の簡単な説明】
【００１４】
【図１】本実施形態のポストカードの全体構成を示す図である。
【図２】本実施形態におけるポストカードの形態変更動作例１を示す図である。
【図３】本実施形態におけるポストカードの形態変更動作例２を示す図である。
【図４】本実施形態におけるポストカードの形態変更動作例３を示す図である。
【図５】本実施形態におけるポストカードの形態変更動作例４を示す図である。
【図６】本実施形態におけるポストカードの形態変更動作例５を示す図である。
【図７】本実施形態におけるポストカードの形態変更動作例６を示す図である。
【図８】本実施形態におけるポストカードの形態変更結果（立像側面）を示す図である。
【図９】本実施形態におけるポストカードの形態変更結果（立像背面）を示す図である。
【図１０】他の実施形態のポストカードの構成例１を示す図である。
【図１１】他の実施形態のポストカードの構成例２を示す図である。
【図１２】他の実施形態のポストカードの構成例３を示す図である。
【考案を実施するための形態】
【００１５】
以下、図面を参照しながら本考案の実施の形態について説明する。図１は本実施形態のポストカードの全体構成を示す図である。本実施形態におけるポストカード１は、郵便物として十分な実用性と取り扱いの簡便さを有しつつ、簡単な作業で、自在な載置に好適なサイズと魅力的なキャラクター性を有する利用形態に変形可能なポストカードである。本実施形態におけるポストカード１は、郵便物として定型のサイズおよび形状を備えた紙製のカードであり、人手による折り畳み可能な可撓性を備えている。こうした可撓性を備えるポストカード１は、当然ながら、折り畳んだ状態で形態を維持できる程度の可塑性も併せ持っている。従って、人の手で容易に折り畳み出来る程度の可撓性と、折り畳んだ後に形態を維持できる程度の可塑性とを併せ持つ素材であれば、いずれの素材でポストカード１を構成するとしてもよい。
【００１６】
図１で示すように、ポストカード１は、宛名面２の裏側たる裏面３において、幅広い年齢層の人々に受け入れられやすい、親しみやすく可愛げのある魅力的なキャラクター５の各部が印刷されている。図１の例では、キャラクター５として、イラスト化されたクマを採用している。裏面３の下部中央４には、こうしたキャラクター５の正立状態の頭部イラスト６が印刷されている。また、裏面３の上半部左側７には、キャラクター５の倒立状態の胴体部の左半身イラスト８が、同様に、裏面３の上半部右側９には、キャラクター５の倒立状態の胴体部の右半身イラスト１０がそれぞれ印刷されている。
【００１７】
キャラクター５の頭部イラスト６と、胴体部の左右の半身イラスト８、９とは、後の折り畳み動作によって互いに組み合わされて、キャラクター５の正面立像１８を一体に構成するものである。そのため、各イラスト６、８、９らは、互いに組み合わせると齟齬無くキャラクター５をイメージできるよう、それぞれの大きさのバランスや、組み合わせ箇所で生じる互いの重なり形状、面積等を予め踏まえたものとなっている。
【００１８】
また、上述した裏面３において、キャラクター５の正立状態の頭部イラスト６から上方に所定距離ｄ１だけ離間した位置に、所定長の水平線１１が印刷されている。一方、この水平線１１は、上述した左半身イラスト８、右半身イラスト１０の各下端部８Ａ、１０Ａから所定距離ｄ２だけ離間している。後に、水平線１１を起点に、裏面３の下端１７を宛名面２に向けて折り返す際（この時、左右の半身イラスト８、１０らは胴体部１６を一体に構成した状態）、裏面３の下端１７すなわち頭部イラスト６の下端６Ａ（キャラクター５のあご先）が、胴体部１６のイラストにおけるキャラクター５の首或いは鎖骨付近に位置すべく、上述の所定距離ｄ１、ｄ２は決定されている。
【００１９】
また図示するように、裏面３の上半部左側端１２および上半部右側端１３のそれぞれから裏面中央上端１４方向に向けて、キャラクター５の各半身イラスト８、１０内を斜行する斜線１５が裏面３に印刷されている。この斜線１５も上述の水平線１１と同様に、後の折り畳み動作時に利用される起点となるものである。
【００２０】
なお、本実施形態では、キャラクター５の各部、水平線１１、および斜線１５が裏面３に印刷されている形態を例示しているが、この形態に限定されない。例えば、キャラクター５の各部、水平線１１、および斜線１５が、シール上にプリントされている形態を想定しても良い。この場合、既存のハガキ裏面の各所（上述の印刷位置と同じ箇所）に、キャラクター５の各部、水平線１１および斜線１５に対応するシール片を貼り付けて、本実施形態のポストカード１と同じ構成をなすものとする。また、水平線１１および斜線１５は、折り畳み時の起点となるものであるから、折り畳み容易となる意図も踏まえ、例えば線状の凹部または凸部であってもよい。
【００２１】
また、裏面３の上部中央２２には、折り畳み情報２３が印刷されているとすれば好適である。この折り畳み情報２３は、キャラクター５の胴体部１６および正面立像１８と、山型線分１９と、支持台２１とを構成する際の、当該ポストカード１における該当各部の折り方を示す情報である。こうした折り畳み情報２３を備えるポストカード１を折り畳んで、キャラクター５と成す場合、ポストカード１の利用者は、他の説明書等を別途確認せずとも、ポストカード１のみを見て折り畳み動作を行うことが可能である。当然ながら、裏面３における折り畳み情報２３の印刷箇所は、ポストカード１の折り畳みによって隠されることなく、折り畳み動作完了までユーザが視認可能な位置、すなわち裏面３の上部中央２２になる。
【００２２】
また、裏面３における上述の折り畳み情報２３の下方であり、裏面中央部２４には、完成時イメージ２５が印刷されている。この完成時イメージ２５は、キャラクター５の正面立像１８を正面として当該ポストカード１を自立させた完成時のイメージとなる。ポストカード１の利用者は、この完成時イメージ２５を視認しつつ、ポストカード１の折り畳み動作を行うことが可能となり、自身の折り畳み動作が完成に向けて正しいか否か、容易に確認することが出来る。当然ながら、上述の折り畳み情報２３と同様に、裏面３における完成時イメージ２５の印刷箇所は、ポストカード１の折り畳みによって隠されることなく、折り畳み動作完了までユーザが視認可能な位置（図９参照）、すなわち折り畳み情報２３の下方で、裏面中央部２４になる。
【００２３】
続いて、ポストカード１に対する折り畳みを実行し、その形態を変更させる際の動作と、その際のポストカード１の形態変遷について説明する。図２〜７は本実施形態におけるポストカードの形態変更動作例１〜６を示す図である。いわゆる通常のハガキの形態をとったポストカード１（図１の状態：以後、平面形態と称する）において、まず、裏面３を左右に二分割するように山折りし（図２の状態）、中央線３Ａを形成する。中央線３Ａの形成後、宛名面２が再び露出するよう、山折りを解除して元の平面形態に戻す。
【００２４】
次に、裏面３における左右側端３Ｂ、３Ｃを宛名面中央３０すなわち中央線３Ａに向けて折返すことにより（図３の状態）、キャラクター５の左半身および右半身の各イラスト８、１０を、中央線３Ａを境目にして接合させ、キャラクター５の胴体部１６を一体に構成する（図４の状態）。図４の状態のように、キャラクター５の胴体部１６を構成した上で、裏面３における水平線１１を起点に裏面下端１７を宛名面２に向けて折り返す。この動作により、裏面３において水平線１１の下方に位置していた頭部イラスト６と、胴体部１６のイラストとは、キャラクター５の正面立像１８を一体に構成する。こうしてキャラクター５の正面立像１８を構成することで、左半身および右半身の各イラスト８、１０に存在する各斜線１５は、正面立像１８の表面において上方に凸の山型線分１９を構成することになる。
【００２５】
続いて、正面立像１８の下端部２０を、上述の山型線分１９を起点に後方に折り込むことにより、キャラクター５の正面立像１８を正面として当該ポストカード１を自立させる支持台２１を構成する（図６の状態）。この支持台２１は、山型線分１９の折り込みにより構成されたものであるから、当然ながら、その断面は上方に凸の山型の形状を備え、側面から見た場合、正面立像１８と連続し略Ｌ字型（図８参照）を構成するものとなる。
【００２６】
なお、必要に応じて、キャラクター５の頭部イラスト６の角５Ａを、正面立像後方に折返して、キャラクター５の頭部輪郭を自然に強調するとしてもよい（図７の状態）。勿論、この場合、キャラクター５の頭部イラスト６の角５Ａに、折返し起点を示す線分が印刷されていると好適である。
【００２７】
全ての折り畳み動作完了時のポストカード１の形態は、図７〜９に示す通りである。この形態では、図示するように、キャラクター５自身が立体化して自立し、正面立像１８によってキャラクター５の表情や動作が明示され（図７）、更に、上述の支持台２１の構成に伴って正面立像１８が正面前方に凸の形態となった関係で、キャラクター５の立像側面でもキャラクター５の横顔や半身を明示している（図８）。従って、ポストカード１は、上述してきた折り畳み動作を経て、正面からも側面からもキャラクター５として立体化したことになる。一方、図９に示すように、立像背面においては完成時イメージ２５が示されており、折り畳み動作完了までの折り畳み方法の指針をユーザに継続的に提示出来る。
【００２８】
ポストカード１におけるキャラクター５として上述の実施形態ではクマを例示したが、それ以外にも、例えば、ライオン（図１０参照）、ひよこ（図１１参照）、ペンギン（図１２参照）といった各種のキャラクター５を採用できる。勿論、動物だけでなく人間やアニメーションの各種キャラクターを採用しても良い。
【００２９】
以上、本実施形態のポストカードは、郵便物として十分な実用性と取り扱いの簡便さを有しつつ、簡単な作業で、自在な載置に好適なサイズと魅力的なキャラクター性を有する利用形態に変形可能である。
【００３０】
以上、本考案を実施するための最良の形態などについて具体的に説明したが、本考案はこれに限定されるものではなく、その要旨を逸脱しない範囲で種々変更可能である。
【符号の説明】
【００３１】
１  ポストカード
２  宛名面
３  裏面
３Ａ  中央線
３Ｂ  裏面左側端
３Ｃ  裏面右側端
４  裏面下部中央
５  キャラクター
５Ａ  頭部イラスト角
６  頭部イラスト
６Ａ  頭部イラスト下端
７  上半部左側
８  胴体部左半身イラスト
８Ａ  左半身イラスト下端部
９  上半部右側
１０  胴体部右半身イラスト
１０Ａ  右半身イラスト下端部
１１  水平線
１２  上半部左側端
１３  上半部右側端
１４  裏面中央上端
１５  斜線
１６  キャラクター胴体部
１７  裏面下端
１８  キャラクター正面立像
１９  山型線分
２０  正面立像下端部
２１  支持台
２２  裏面上部中央
２３  折り方情報
２４  裏面中央部
２５  完成時イメージ
３０  宛名面中央
ｄ１、ｄ２  所定距離
【図１】
0003180587.tif 000003
【図２】
0003180587.tif 000004
【図３】
0003180587.tif 000005
【図４】
0003180587.tif 000006
【図５】
0003180587.tif 000007
【図６】
0003180587.tif 000008
【図７】
0003180587.tif 000009
【図８】
0003180587.tif 000010
【図９】
0003180587.tif 000011
【図１０】
0003180587.tif 000012
【図１１】
0003180587.tif 000013
【図１２】
0003180587.tif 000014